(57)【要約】 【課題】効率的な灌水が可能であり、組み立てやメンテナンス等も容易な緑化システムおよび緑化用トレーを提供する。【解決手段】緑化システム１は、緑化植物Ｐおよび栽培土壌Ｓをそれぞれ収容し、縦横に隣接して敷設される複数の緑化用トレー１０と、灌水パイプ７０と、を含んで構成される。緑化用トレー１０は、底壁部、側壁部を有する上部開放のトレー本体２０と、灌水パイプ７０を連通する樋状をなし、トレー本体２０よりも側方に突出して形成される連通部３０と、隣接する他の緑化用トレー１０の連通部３０を上方から嵌合できる嵌合部４０と、底壁部に凸状に設けられる隆起部５０と、隆起部５０の上部に設けられ、灌水パイプ７０を支持する支持手段と、を備える。灌水パイプ７０は、連通部３０と支持手段を通り、栽培土壌Ｓの表面Ｓａ近辺にて、緑化用トレー１０間を縦断ないし横断して配設される。【選択図】  図６
2011050329.tif 000002
【特許請求の範囲】
【請求項１】
緑化植物および栽培土壌をそれぞれ収容し、縦横に隣接して敷設される複数の緑化用トレーと、緑化用トレー上に配設される灌水パイプと、を含んで構成される緑化システムであって、
各緑化用トレーが、
底壁部と、該底壁部の周囲に立設状に形成される側壁部と、を有する上部開放のトレー本体と、
該側壁部の上縁辺に設けられ、該灌水パイプを連通する樋状をなすとともに、該トレー本体よりも側方に突出して形成される連通部と、
該側壁部の上縁辺に設けられ、隣接する他の緑化用トレーの該連通部を上方から嵌合できる嵌合部と、
該底壁部に凸状に設けられる隆起部と、
該隆起部の上部に設けられ、該灌水パイプを支持する支持手段と、を備え、
該灌水パイプが、該連通部と該支持手段を通り、該栽培土壌の表面近辺にて、各緑化用トレー間を縦断ないし横断して配設されるようになされた緑化システム。
【請求項２】
該トレー本体が、平面視略正方形をなし、
該連通部が、該側壁部の対向する上縁辺に設けられるとともに、該嵌合部が、該側壁部の他の対向する上縁辺に設けられ、
縦横に隣接する各緑化用トレーが、互いに直角に水平回転された状態で連結されるようになされた請求項１に記載の緑化システム。
【請求項３】
各緑化用トレーが、
該連通部が設けられる該側壁部の上縁辺にて、下方に折り曲げ形成される係合片と、
該嵌合部が設けられる該側壁部の上縁辺にて、隣接する他の緑化用トレーの該係合片を上方から係合できる係合溝と、をさらに備えた請求項２に記載の緑化システム。
【請求項４】
該支持手段が、
該隆起部から連続して該隆起部と一体成形され、該灌水パイプを嵌脱可能な凹溝からなる請求項３に記載の緑化システム。
【請求項５】
該灌水パイプの該トレー本体内における垂れ下がりを防止する中間支持部と、をさらに備え、
該中間支持部に灌水パイプ用の継ぎ手を支持させることで、該灌水パイプを分岐ないし屈折できるようになされた請求項４に記載の緑化システム。
【請求項６】
該中間支持部が、
該トレー本体の略中心に設けられ、
該中間支持部と、該連通部、該嵌合部、該凹溝とが、平面視十字状に配設されている請求項５に記載の緑化システム。
【請求項７】
該凹溝に、
該灌水パイプの抜け止め突起が形成されている請求項６に記載の緑化システム。
【請求項８】
該隆起部および該凹溝と該中間支持部との裏側が、
空洞に形成されている請求項６乃至７の何れかに記載の緑化システム。
【請求項９】
該灌水パイプが、
少量灌水可能な構造を有するとともに、該栽培土壌中に埋設されている請求項１乃至８の何れかに記載の緑化システム。
【請求項１０】
緑化植物および栽培土壌をそれぞれ収容し、縦横に隣接して敷設される複数の緑化用トレーと、緑化用トレー上に配設される灌水パイプと、を含んで構成される緑化システムに用いられる緑化用トレーであって、
底壁部と、該底壁部の周囲に立設状に形成される側壁部と、を有する上部開放のトレー本体と、
該側壁部の上縁辺に設けられ、該灌水パイプを連通する樋状をなすとともに、該トレー本体よりも側方に突出して形成される連通部と、
該側壁部の上縁辺に設けられ、隣接する他の緑化用トレーの該連通部を上方から嵌合できる嵌合部と、
該底壁部に凸状に設けられる隆起部と、
該隆起部の上部に設けられ、該灌水パイプを支持する支持手段と、を備え、
該灌水パイプが、該連通部と該支持手段とを通り、該栽培土壌の表面近辺にて、各緑化用トレー間を縦断ないし横断して配設されるようになされた緑化用トレー。
【発明の詳細な説明】
【技術分野】
【０００１】
本発明は、建物屋上の屋根面等を緑化する際に用いられる緑化システムおよび緑化用トレーに関する。
【背景技術】
【０００２】
近年、ヒートアイランド現象に伴う地球環境への負荷を軽減するために、建物屋上の屋根面等を緑化することが注目されている。
【０００３】
この建物屋上の屋根面等を緑化する技術として、緑化植物および栽培土壌をそれぞれ収容した複数の緑化用トレーを、縦横に隣接して敷設することにより緑化を図るようにしたものが知られている。そして、トレー内の緑化植物に灌水をおこなうための配管を備えた「植物栽培装置」がある（例えば特許文献１）。
【先行技術文献】
【特許文献】
【０００４】
【特許文献１】特開平１１−７５５６２号公報
【発明の概要】
【発明が解決しようとする課題】
【０００５】
特許文献１に記載される如くの「植物栽培装置」では、トレー底部に逆Ｕ字形断面の「係合部」が設けられ、灌水用の配管を、この「係合部」と屋根面との間に配設するとともに、「係合部」の「導通口」を介して配管から「保水部」に貯留された水分を、毛細管現象により土壌へ供給するように構成されている。
【０００６】
しかしながら、トレー底部に貯留された水分を、上方の緑化植物が十分に吸い上げることは実際には難しく、多くが余剰水として排出される等して効率的な灌水がおこなわれていなかった。また、配管の配設やトレー敷設の作業が煩雑であり、配管のメンテナンス時にはトレーをいちいち撤去する必要もあった。
【０００７】
そこで本発明は、上記事情に鑑みてなされたものであり、その主な目的とするところは、効率的な灌水が可能であり、組み立てやメンテナンス等も容易な緑化システムおよび緑化用トレーを提供することにある。
【課題を解決するための手段】
【０００８】
本発明の緑化システムは、緑化植物および栽培土壌をそれぞれ収容し、縦横に隣接して敷設される複数の緑化用トレーと、緑化用トレー上に配設される灌水パイプと、を含んで構成される緑化システムであって、各緑化用トレーが、底壁部と、該底壁部の周囲に立設状に形成される側壁部と、を有する上部開放のトレー本体と、該側壁部の上縁辺に設けられ、該灌水パイプを連通する樋状をなすとともに、該トレー本体よりも側方に突出して形成される連通部と、該側壁部の上縁辺に設けられ、隣接する他の緑化用トレーの該連通部を上方から嵌合できる嵌合部と、該底壁部に凸状に設けられる隆起部と、該隆起部の上部に設けられ、該灌水パイプを支持する支持手段と、を備え、該灌水パイプが、該連通部と該支持手段を通り、該栽培土壌の表面近辺にて、各緑化用トレー間を縦断ないし横断して配設されるように構成されている。
【０００９】
上記緑化システムの好ましい例では、該トレー本体が、平面視略正方形をなし、該連通部が、該側壁部の対向する上縁辺に設けられるとともに、該嵌合部が、該側壁部の他の対向する上縁辺に設けられ、縦横に隣接する各緑化用トレーが、互いに直角に水平回転された状態で連結されるように構成されている。
【００１０】
上記緑化システムのさらに好ましい例では、各緑化用トレーが、該連通部が設けられる該側壁部の上縁辺にて、下方に折り曲げ形成される係合片と、該嵌合部が設けられる該側壁部の上縁辺にて、隣接する他の緑化用トレーの該係合片を上方から係合できる係合溝と、をさらに備えて構成されている。
【００１１】
上記緑化システムのさらに好ましい例では、該支持手段が、該隆起部から連続して該隆起部と一体成形され、該灌水パイプを嵌脱可能な凹溝からなる。
【００１２】
上記緑化システムのさらに好ましい例では、該灌水パイプの該トレー本体内における垂れ下がりを防止する中間支持部と、をさらに備え、該中間支持部に灌水パイプ用の継ぎ手を支持させることで、該灌水パイプを分岐ないし屈折できるように構成されている。
【００１３】
上記緑化システムのさらに好ましい例では、該中間支持部が、該トレー本体の略中心に設けられ、該中間支持部と、該連通部、該嵌合部、該凹溝とが、平面視十字状に配設されている。
【００１４】
上記緑化システムのさらに好ましい例では、該凹溝に、該灌水パイプの抜け止め突起が形成されている。
【００１５】
上記緑化システムのさらに好ましい例では、該隆起部および該凹溝と該中間支持部との裏側が、空洞に形成されている。
【００１６】
上記緑化システムのさらに好ましい例では、該灌水パイプが、少量灌水可能な構造を有するとともに、該栽培土壌中に埋設されている。
【００１７】
また、本発明の緑化用トレーは、緑化植物および栽培土壌をそれぞれ収容し、縦横に隣接して敷設される複数の緑化用トレーと、緑化用トレー上に配設される灌水パイプと、を含んで構成される緑化システムに用いられる緑化用トレーであって、底壁部と、該底壁部の周囲に立設状に形成される側壁部と、を有する上部開放のトレー本体と、該側壁部の上縁辺に設けられ、該灌水パイプを連通する樋状をなすとともに、該トレー本体よりも側方に突出して形成される連通部と、該側壁部の上縁辺に設けられ、隣接する他の緑化用トレーの該連通部を上方から嵌合できる嵌合部と、該底壁部に凸状に設けられる隆起部と、該隆起部の上部に設けられ、該灌水パイプを支持する支持手段と、を備え、該灌水パイプが、該連通部と該支持手段とを通り、該栽培土壌の表面近辺にて、各緑化用トレー間を縦断ないし横断して配設されるように構成されている。
【発明の効果】
【００１８】
本発明によれば、効率的な灌水が可能であり、組み立てやメンテナンス等も容易な緑化システムおよび緑化用トレーを提供できる。
【図面の簡単な説明】
【００１９】
【図１】実施形態に係る緑化システムの概略を示す全体平面図である。
【図２】実施形態に係る緑化用トレーを示す上方側斜視図である。
【図３】実施形態に係る緑化用トレーを示す下方側斜視図である。
【図４】実施形態に係る緑化用トレーを示す平面図である。
【図５】実施形態に係る緑化システムの組み立て状況を示す斜視図である。
【図６】実施形態に係る緑化システムを示す拡大断面図である。
【図７】変形例を示す斜視図である。
【図８】他の変形例を示す斜視図である。
【図９】他の実施形態に係る緑化用トレーを示す斜視図である。
【図１０】他の実施形態に係る緑化システムの組み立て状況を示す平面図である。
【図１１】他の実施形態に係る緑化システムを示す拡大断面図である。
【発明を実施するための形態】
【００２０】
以下、本発明の一実施形態について、図１〜図６を参照して詳細に説明する。図１は実施形態に係る緑化システム１の概略を示す全体平面図である。図２〜図４は実施形態に係る緑化用トレー１０を示しており、図２は上方側斜視図、図３は下方側斜視図、図４は平面図である。図５は緑化システム１の組み立て状況を示す斜視図、図６は緑化システム１を示す拡大断面図である。
【００２１】
緑化システム１は、図１に示す建物屋上４の緑化を図るものであり、陸屋根として形成される屋根面５に敷設される複数の緑化用トレー１０と、緑化用トレー１０上の所定位置に配設される灌水パイプ７０と、を備えている。各緑化用トレー１０は、屋根面５の形状に沿って、前後および左右方向の縦横に隣接して連結され、灌水パイプ７０が、これら緑化用トレー１０間を縦断ないし横断するように架設されている。これにより、建物屋上４における屋根面５の大半を平面状に覆う緑化システム１が構成されている。緑化用トレー１０内には、緑化植物Ｐおよび栽培土壌Ｓがそれぞれ収容され、栽培土壌Ｓ中に灌水パイプ７０が埋設されているが（図６参照）、図１では、緑化植物Ｐを一部にのみ表示し、埋設される灌水パイプ７０も実線で示している。
灌水パイプ７０は、建物屋上４に設けられた給水管７に接続されている。給水管７は、適時開閉が可能な弁８（必要により減圧弁）を介して、水道等の水源に接続されている。図示しない制御装置や、栽培土壌Ｓ中の水分量、降雨量等を検知するセンサー、タイマー手段等をさらに付設し、自動的な灌水をおこなうにしてもよい。緑化システム１の外周縁は、見切り材としての縁石ブロック９によって適宜固定されている。
【００２２】
緑化用トレー１０は、図２〜図４に示すように、上部開放で比較的深底（最深部で１００ｍｍ程度）のトレー本体２０と、このトレー本体２０に設けられる所定の連通部３０および嵌合部４０、隆起部５０、支持手段５５と、を主として備える。
【００２３】
トレー本体２０は、図２〜図４に示すように、底壁部２１と、底壁部２１の周囲に同一高さで立設状に形成される側壁部２２とを有する。側壁部２２は、上にいくに従って、外側にやや傾斜して設けられるが、側壁部２２の各上縁辺２３ａ〜２３ｄは、正方形（この実施形態では縦５００ｍｍ×横５００ｍｍ）をベースに四隅が円弧状に面取りされた全体形状を呈し、これによりトレー本体２０が平面視略正方形をなしている。
【００２４】
側壁部２２の各上縁辺２３ａ〜２３ｄには、図２〜図４に示すように、外側に張り出す鍔部２４が設けられ、鍔部２４がさらに下方に折り曲げられることで、折り曲げ部２５が形成されている。これらの鍔部２４および折り曲げ部２５は、側壁部２２の上縁辺２３ａ〜２３ｄの（連通部３０および嵌合部４０の配設箇所を除く）略全周に亘って形成されている。このような鍔部２４および折り曲げ部２５により、側壁部２２の剛性を向上させることができる。
【００２５】
緑化用トレー１０では、上記折り曲げ部２５は、対向する一組の上縁辺である２３ａ、２３ｂにおいては、係合片２６をそれぞれ構成する。一方で、対向する別組の上縁辺である２３ｃ、２３ｄにおいては、図２〜図４に示すように、折り曲げ部２５の下端がさらに上方に（但し鍔部２４よりも低く）折り返されて、折り返し部２８が形成されており、この折り曲げ部２５と折り返し部２８とによって、断面凹状の係合溝２９がそれぞれ形成されている。
係合片２６および係合溝２９は、緑化用トレー１０同士の連結を補強する役割を果たす。係合溝２９は、隣接する緑化用トレー１０の係合片２６を、好ましくは僅かな遊嵌状態にて、上方から係合できるように寸法構成されている。
【００２６】
なお、この実施形態では、係合片２６および係合溝２９を、各上縁辺２３ａ〜２３ｄに沿って連続的に形成しているが、一または複数の小片を断続的に形成したものであってもよい。係合片２６や係合溝２９に替えて、または係合片２６や係合溝２９と併せて、緑化用トレー１０とは別体で構成したクリップ等の補強金具を用いることもできる。
【００２７】
連通部３０および嵌合部４０は、図２〜図４に示すように、それぞれ側壁部２２の上縁辺２３ａ〜２３ｄの所定位置に設けられる。具体的には、連通部３０は、係合片２６が形成される上縁辺２３ａ、２３ｂのそれぞれ中間位置に設けられ、嵌合部４０は、係合溝２９が形成される上縁辺２３ｃ、２３ｄのそれぞれ中間位置に設けられている。連通部３０と嵌合部４０は、側壁部２２および鍔部２４、折り曲げ部２５、折り返し部２８を上方から切り欠くようにして形成される。
【００２８】
連通部３０は、緑化用トレー１０間に跨って配設される灌水パイプ７０を連通状に載置する。連通部３０は、半円孤状のパイプ受け面３２を有する断面Ｕ字型で、上部に開放された樋状をなすとともに、折り曲げ部２５（係合片２６）よりもさらに側方に一定長さだけ突出して形成されている。
一方、嵌合部４０は、隣接する他の緑化用トレー１０の上記連通部３０における突出部分を上方からちょうど嵌合できるように断面構成されている。
【００２９】
隆起部５０は、図２〜図４に示すように、底壁部２１の所定部分を、連通部３０ないし嵌合部４０の下端付近までの一定高さ、凸状に隆起させてなる。この実施形態では、隆起部５０として基本形態の共通するものがトレー本体２０内の複数箇所（４箇所）に設けられており、隆起部５０は、隆起部本体５１と、側壁部２２に添って設けられる添設部５２と、からそれぞれ構成される。添設部５２は、隆起部本体５１から連続して隆起部本体５１と一体に成形されている。隆起部５０は、緑化システム１の組み立てやメンテナンス時等に、上方に人が乗っても耐え得るような強度を有するようにしておくのが好ましい。
【００３０】
上記隆起部５０により、後述する支持手段５５を所定位置に設けることができるようになる。また、とりわけ建物屋上４等の緑化にあっては、建物構造体への荷重負荷を軽減するために、緑化用トレー１０（栽培土壌Ｓ）の軽量化を図ることが好ましいが、本実施形態のような隆起部５０を設けると、トレー本体２０内の容量が、隆起部５０の体積によって制限されることから、緑化植物Ｐに必要な栽培土壌Ｓの厚みを確保しながら、緑化用トレー１０（栽培土壌Ｓ）の重量を低減することも可能となる。
【００３１】
また、隆起部５０の裏側は、図２〜図３に示すように、下部に向けて開口した空洞部５４によって空洞に形成されている。緑化用トレー１０では、空洞部５４は、さらに側方に向けても開口されており、これにより底壁部２１および側壁部２２が部分的に切り取られた形状となっている。空洞部５４によりトレー本体２０の自重も低減できるため、全体として大幅な軽量化が可能となる。
【００３２】
隆起部５０の上部には、図２および図４に示すように、灌水パイプ７０の支持手段５５としての凹溝５６が形成される。支持手段５５は、配設される灌水パイプ７０を下方から支持し、トレー本体２０に対して灌水パイプ７０を略水平に保つ（図５参照）。凹溝５６は、隆起部本体５１をさらに上方に（各上縁辺２３ａ〜２３ｄよりも低く）隆起させることにより、隆起部５０から連続して隆起部５０と一体に成形されている。凹溝５６は、灌水パイプ７０の嵌脱作業を容易にするべく上部に開放して構成されるとともに、灌水パイプ７０を安定載置可能な一定長をなす内壁面５７を備える。また、凹溝５６の適宜箇所には、図２および図４に示すように、配設された灌水パイプ７０の抜け止め突起５９が形成されている。これら凹溝５６と抜け止め突起５９とにより、灌水パイプ７０が撓み易かったり、灌水パイプ７０に巻き癖が付いているような場合等であっても、灌水パイプ７０を簡単かつ確実に支持することができる。
【００３３】
緑化用トレー１０では、上記凹溝５６は、図４に示すように、トレー本体２０の中心を通る平面視十字状を形成する所定ラインＸ、Ｙ上にそれぞれ配設される。ラインＸ、Ｙは、側壁部２２の上縁辺２３ａ、２３ｂおよび上縁辺２３ｃ、２３ｄの各垂直二等分線にそれぞれ一致しており、これにより、灌水パイプ７０を各緑化用トレー１０の前後または左右方向に一直線状に配設できるようになっている。このラインＸ、Ｙ上には、それぞれ連通部３０、嵌合部４０も位置する。
【００３４】
底壁部２１は、図２および図４に示すように、底上げ部２１ｉと、底上げ部２１ｉの四隅に一段下がって連設される凹陥部２１ｊとから形成されている。凹陥部２１ｊの裏側は、図３に示す如く平坦な設置面２１ｋをなし、設置面２１ｋを屋根面５上にぴったりと設置することで、トレー本体２０の安定を保つことができるようになっている（図６参照）。図３中、２１ｋ’は、底上げ部２１ｉの撓みを防ぐ補強用の脚部である。
上記底上げ部２１ｉによって、屋根面５とトレー本体２０との間に空隙が形成されるため、通気性が良好になるだけでなく、トレー本体２０内の温度上昇を緩和することもできる。
【００３５】
各凹陥部２１ｊには、図２〜図４に示すように、スリット状の排水孔２１ｈが穿設されており、降雨時等に凹陥部２１ｊに落下集水された余剰雨水等を、排水孔２１ｈを介して外部に排出できるようになっている。底壁部２１に排水孔２１ｈに向かう水勾配を適宜形成して、排水性を向上させたり、凹陥部２１ｊに吸水性の布材や不織マット等を敷き込むことにより、保水性を向上させるようにしてもよい。
【００３６】
緑化用トレー１０では、トレー本体２０の略中心に、図２〜図４に示す中間支持部６０が設けられている。中間支持部６０は、配設される灌水パイプ７０のトレー本体２０内における垂れ下がりを防止する等の役割を果たすものである。中間支持部６０は、隆起部５０同様、底壁部２１を凸状に隆起させた形状で、上記凹溝５６における内壁面５７の底部と略同一レベルをなす支持面６２を有する。中間支持部６０の裏側は、図３に示すように、下部に向けて開口する空洞部６４によって空洞となっている。このような中間支持部６０を設けることにより、緑化用トレー１０のさらなる軽量化にも繋がる。
【００３７】
上記した緑化用トレー１０は、単一または複数の適宜材料を用いて構成できるが、耐久性や耐腐食性、さらには軽量性に優れたものであることが好ましい。このような観点から、例えばポリプロピレン、ポリエチレン、ポリエステル、塩化ビニルその他の合成樹脂材を射出成形、真空成形、圧空成形、プレス成形等の適当な方法を用いて加工することにより好適に製造できる。本実施形態では、環境負荷を軽減するため、ポリプロピレンの再生材を使用しており、これを射出成形することで緑化用トレー１０を構成している。
【００３８】
灌水パイプ７０は、上記連通部３０と凹溝５６とを通り、各緑化用トレー１０間を縦断ないし横断して配設される。灌水パイプ７０は、樹脂製で可撓性を有する径１５〜２０ｍｍ程度のドリップチューブによって構成されており、図５〜図６に示すように、長さ方向に沿う適宜位置に灌水孔７２が穿設されている。
この実施形態では、灌水パイプ７０が、図６に示すように、栽培土壌Ｓの表面Ｓａ近辺に埋設されるようになっており、灌水パイプ７０の灌水孔７２から滴下流出された水分Ｗは、栽培土壌Ｓ中を拡散状に上方から下方へと滲み込む。灌水パイプ７０は、各緑化用トレー１０を二分するような位置に配設されるため（図５参照）、各トレー本体２０内に偏りなく灌水をおこない易い。灌水パイプ７０が栽培土壌Ｓ中に埋設されることで、灌水パイプ７０の耐久性が向上し、緑化システム１の見栄えも良好となる。この灌水パイプ７０を利用して、液肥や薬液等を供給するようにしてもよい。
【００３９】
灌水パイプ７０は、少量灌水可能な構造を備えたものであることが好ましい。このような構造としては、例えば特開昭４９−５１７４５号公報や特開昭５２−３８５７２号公報に記載されるような公知の構造のものを採用することができる。細部についての図示は省略するが、灌水パイプ７０内に、給水路とは別に、小径の流入孔を適宜有する灌水用空間をパイプ内壁に沿って設け、給水路への給水を、流入孔を介して灌水用空間に流入させるとともに、さらに灌水用空間から、灌水孔７２を介して灌水パイプ７０の外部へと水分Ｗを流出させる。このとき、給水路への給水が、灌水用空間に減圧されて流入するため、灌水孔７２からは、点滴状ないしごく弱い水圧にて水分Ｗを滴下流出させることができる。
一般的な灌水パイプでは、１ｍ2あたり約６リットル／時間の灌水量があるが、緑化用トレー１０にとっては過剰であり、多くが余剰水となって排出されるおそれがある。上記灌水パイプ７０によれば、１ｍ2あたり約２リットル／時間の灌水量とでき、無駄を一層防止した灌水がおこなえる。
【００４０】
なお、灌水パイプ７０の上記構造は一例であり、この他にも例えば、灌水孔７２に連通するジグザグ状の減圧路を、パイプ内壁に備えたものや、伸縮性および弾力性の有る合成ゴム等からなり、灌水パイプ７０内の水圧に応じて水分Ｗを少量ずつ滲出させ得る多数の小孔を、パイプ周面に網目状に備えたもの等を採用するようにしてもよい。
【００４１】
上記緑化用トレー１０内には、図６に示すように、栽培土壌Ｓが側壁部２２の上縁辺２３ａ〜２３ｄまで充填されるとともに、所定の緑化植物Ｐが植栽される。緑化植物Ｐは、隆起部５０や凹溝５６、中間支持部６０を避け、トレー本体２０の中心から四隅に向かって対角線状に植栽される。この実施形態では、図１に示すように、一の緑化用トレー１０につき大小の緑化植物Ｐが計１２箇所（よって約１ｍ2あたり４８箇所）配置されている。緑化植物Ｐは、予め生育したもの以外に、苗や種子等であってもよい。
【００４２】
建物屋上４の屋根面５等は、高温、低温、あるいは乾燥、強風等に曝され易く、植物にとっては非常に厳しい栽培環境となることから、上記緑化植物Ｐは、強靭な体質を有するものがよい。このような観点からは、丈が比較的低く、高低温や乾燥に強い草木、芝、苔類、多肉植物や地被類植物（グランドカバー類植物）等が好ましい。本発明の適用に特に好ましい緑化植物Ｐとしては、例えばハナツルグサ、フィリヤブラン、オタフクナンテン、フィリフェラオーレア、セイヨウイワナンテン、常緑キリンソウ、リュウノヒゲ等が挙げられる。これらは適度の灌水をおこなうことで、長期間に亘って繁茂力を保つことが可能なものである。
【００４３】
栽培土壌Ｓには、上記緑化植物Ｐを栽培することが可能な適宜の自然土壌や人工土壌、あるいはこれらの混合物を用いることができる。例えば、ピートモス、バーミキュライト、パーライト等の公知の資材を、保水性や排水性のバランスを考慮して、適量配合して用いることができる。
とりわけ建物屋上４等の緑化にあっては、建物構造体への荷重負荷を軽減するために、人工軽量土壌等を用いてなるべく栽培土壌Ｓの軽量化を図ることが好ましい。人工軽量土壌としては、例えば、真珠岩系パーライト等の岩石の焼成物やリサイクルセラミック、火山砂利等から得られる無機質系人工土壌、主に分解の遅い針葉樹の樹皮やココピート（登録商標）、ピートモス、草炭等を加工して得られる有機質系人工土壌、あるいは軽量無機質骨材に有機質資材を混合加工した有機無機混合型人工土壌等を用いることができる。
【００４４】
栽培土壌Ｓの好ましい配合例としては、ピートモス、バーミキュライト、パーライト等を主配合物として泥炭を加え、これらを約４０〜５０ｋｇ／ｍ2の重量となるように構成する。泥炭を加えることにより、軽量化を実現しながら、保水性および排水性のバランスが良好に保たれ、少量の栽培土壌Ｓであっても上記緑化植物Ｐの栽培に好適なものとなり易い。ピートモスに替えて、椰子の実から種子を取り除いた椰子殻から得られるココピート（登録商標）を用いてもよい。
【００４５】
上記の如く構成される緑化システム１の組み立て手順の一例について説明すると、まず緑化用トレー１０を必要数量、建物屋上４に輸送搬入し、屋根面５の一定領域に敷設してゆく。屋根面５には、耐根シート５ａを設けておくのがよい（図６参照）。敷設した緑化用トレー１０の外周縁は縁石ブロック９で順次固定する。
【００４６】
緑化用トレー１０を敷設する際には、隣接する緑化用トレー１０同士を、図５に示すようにして連結する。すなわち、縦横に隣接する緑化用トレー１０が、互いに時計回りないし反時計回りに直角に水平回転された状態となるように連結する。この連結は、一の緑化用トレー１０の連通部３０と、隣接する他の緑化用トレー１０の嵌合部４０とを嵌合するとともに、一の緑化用トレー１０の係合片２６と、隣接する他の緑化用トレー１０の係合溝２９と、を係合することでおこなわれる。
【００４７】
図５を参照しながらさらに具体的に説明すれば、例えば、緑化用トレー１０を、隣接する緑化用トレー１０Ａ側に向けてやや傾斜させ、嵌合部４０および係合溝２９を下方から入れ込むようにして緑化用トレー１０Ａの連通部３０ａおよび係合片２６ａとそれぞれ嵌合する。そして、緑化用トレー１０を略水平に戻しながら、連通部３０および係合片２６を、他の隣接する緑化用トレー１０Ｂの嵌合部４０ｂおよび係合溝２９ｂに上方から嵌合する。
このとき、緑化用トレー１０の嵌合部４０と緑化用トレー１０Ａの連通部３０ａとを嵌合させるとともに、緑化用トレー１０の連通部３０と緑化用トレー１０Ｂの嵌合部４０ｂとを嵌合させることで、緑化用トレー１０の正確な位置決めを容易におこないながら連結できる。また、緑化用トレー１０の係合溝２９と緑化用トレー１０Ａの係合片２６ａとを係合させるとともに、緑化用トレー１０の係合片２６と緑化用トレー１０Ｂの係合溝２９とを係合させることで、当該連結がさらに補強される。
【００４８】
上記のような連結を繰り返せば、各緑化用トレー１０を、鍔部２４が面一に揃った平面状に連結することができる。連結された緑化用トレー１０は、前後方向の両端側（上縁辺２３ａ、２３ｂ側）ないし左右方向の両端側（上縁辺２３ｃ、２３ｄ側）を、隣接する緑化用トレー１０によって押下され、上方への浮き上がり等を規制された状態で強固一体に連結されることとなる。したがって、上記連結された緑化用トレー１０は、きわめて良好な耐風性能を発揮する。一方で、各緑化用トレー１０の係合片２６、係合溝２９が所定の遊嵌状態にて係合されるため、連結に際し、緑化用トレー１０の嵌め入れは、非常にスムーズにおこなわれ得る。
【００４９】
緑化用トレー１０の敷設が完了したのち（あるいは敷設の作業と並行して）、緑化用トレー１０上に灌水パイプ７０を配設する。灌水パイプ７０は、図１に示すように、一次側配管された給水管７に接続するとともに、各緑化用トレー１０における連通部３０および凹溝５６を通して、全ての緑化用トレー１０に行き渡るようにする。
敷設された各緑化用トレー１０の上縁辺２３ａ〜２３ｄには、自身の連通部３０ないし嵌合部４０に嵌合された隣接する緑化用トレー１０の連通部３０が、それぞれ配備されることになるため（図５等参照）、灌水パイプ７０は、図４に示す所定ラインＸ、Ｙの何れの方向にも配設することができる。
【００５０】
敷設された緑化用トレー１０が、図１に示すように全体として非矩形の不規則な平面形状の場合等であっても、灌水パイプ７０を適宜分岐ないし屈折して配設することができる。灌水パイプ７０の分岐ないし屈折は、チーズ型継ぎ手７５やエルボ型継ぎ手７６等の灌水パイプ用継ぎ手を介しておこなわれるが、緑化用トレー１０の中間支持部６０の支持面６２により、これらがトレー本体２０に対して略水平状に支持されるようになっている。灌水パイプ７０の分岐ないし屈折により、必要な給水管７を最小限化することが可能となる（例えば、図１に破線で示す給水管７’を省略できる）。
本実施形態のような緑化用トレー１０であれば、汎用性が高く、分岐・屈折箇所にも同一の緑化用トレー１０を使用して、所望の緑化用トレー１０上で灌水パイプ７０を分岐ないし屈折できる。したがって、各緑化用トレー１０の配置や敷設順序等を気にする必要が無く、緑化システム１の組み立てをさらに簡略化できる。
【００５１】
次に、灌水パイプ７０が配設された各緑化用トレー１０内に、栽培土壌Ｓを充填しながら緑化植物Ｐを植栽してゆく。図６に示すように、この実施形態では、灌水パイプ７０が、栽培土壌Ｓ中に埋設されるため、灌水パイプ７０を配設したのちに、栽培土壌Ｓを充填するのが好適であるが、灌水パイプ７０の配設に先行して、予め栽培土壌Ｓの一部をトレー本体２０内の一定深さまで充填しておくようにしても差し支えない。
【００５２】
栽培土壌Ｓの表面Ｓａは、図６に示すように、保護層７８で被覆するのが好ましい。保護層７８を設けることで、栽培土壌Ｓの風雨による流出や雑草の発生を防止したり、保水性を高めることができる。保護層７８としては、軽石、バーク、樹皮、木片、大鋸屑、籾殻、堆肥、人工鉱物あるいはこれらに適宜の接着剤や粘着剤を混合してなるマルチング材等が用いられる。
【００５３】
なお、緑化用トレー１０の敷設に伴って、各四隅の突き合わせ部分に生じる隙間には、図５に示すような閉鎖部材８０を嵌着する。閉鎖部材８０は、隙間から上記保護層７８や栽培土壌Ｓが落下するのを防ぐもので、閉鎖部材８０の裏側に、嵌着用爪（図示せず）が適宜形成されている。閉鎖部材８０を、屋根面５に固着可能な押え金具（図示せず）と一体化構成し、各緑化用トレー１０の四隅部を押圧状態に固定することで、敷設された緑化用トレー１０の耐風性能をさらに向上させるようにしてもよい。
このようにして、図１に示す如くの緑化システム１を、非常に簡単に組み立てることができる。
【００５４】
以上説明した緑化システム１によれば、灌水パイプ７０が、連通部３０と凹溝５６とを通って所定位置に配設されており、灌水パイプ７０の灌水孔７２から滴下流出された水分Ｗが、各緑化用トレー１０において、栽培土壌Ｓの表面Ｓａ近辺から下方へと拡散状に滲み込む。これにより緑化植物Ｐが、必要十分な水分Ｗを吸収し易く、無駄の少ない効率的な灌水が可能となる。
緑化システム１では、隆起部５０等によって、栽培土壌Ｓの厚みを確保しながら、緑化用トレー１０（栽培土壌Ｓ）の重量やトレー本体２０の自重を大幅に低減することもできる。特に隆起部５０に、上記実施形態のような添設部５２を設ける場合には、水分Ｗがまわり難い隆起部本体５１の後方スペース（隆起部本体５１と各側壁部２２との隙間およびその周辺）が有効活用されて、軽量化とともに非常に効率的な灌水が可能となる。
【００５５】
また、緑化システム１では、一の緑化用トレー１０の連通部３０と、隣接する他の緑化用トレー１０の嵌合部４０とを嵌合させることで、緑化用トレー１０の正確な位置決めを容易におこないながら連結できる。灌水パイプ７０も、各緑化用トレー１０における連通部３０と凹溝５６とに上方から嵌め入れるだけでよい。このように、緑化システム１によれば、緑化用トレー１０の敷設や灌水パイプ７０の配設の作業をごく簡単におこなうことが可能となる。灌水パイプ７０のメンテナンス時には、緑化用トレー１０を移動撤去することなく、灌水パイプ７０のみを容易に取り外すこともできる。
【００５６】
しかも、緑化システム１によれば、緑化用トレー１０同士が非常に強固に連結されており、各緑化用トレー１０間の連通部３０と嵌合部４０との嵌合作用、さらに係合片２６と係合溝２９の係合作用によって、各緑化用トレー１０の上方への浮き上がり等が効果的に規制されている。個々の緑化用トレー１０は上記の如く軽量に構成されるものであるが、これにより各緑化用トレー１０の強風時における飛散等を確実に防止することが可能となる。
【００５７】
（変形例１）
上記実施形態の変形例を図７に示す。上記実施形態と同様の構成部分には同一の符号を付している（以下の図においても同様）。この変形例では、図７に示すように、各添設部５２の上部両側に、添設凸部５２’が隆起形成されている。添設凸部５２’により、さらなる軽量化を図ることができる。連通部３０ないし嵌合部４０の内方には、添設凸部５２’と支持手段５５で囲われた凹状スペースが形成されることになるが、上記灌水パイプ７０の灌水孔７２がこの凹状スペースに位置する場合であっても、図７に示す空隙部８７を介して、滴下流出された水分Ｗを緑化植物Ｐに供給できるようになっている。
【００５８】
また、鍔部２４の四隅には、図７に示すように、閉鎖部材８０’に対応する段差部２４’が設けられている。閉鎖部材８０’の挟持爪８１を用いて、隣接する段差部２４’を一体挟持することにより、閉鎖部材８０’を、鍔部２４と略面一に連続した状態に装着できるようになっている。これにより、連結後の鍔部２４上が平坦状に仕上げられるため、見栄えが良好となるだけでなく、組み立て時やメンテナンス時における歩行つまずき等も防止できる。
【００５９】
なお、図７に示すように、凹溝５６の抜け止め突起５９が形成される内壁面５７底部には、裏側の空洞部５４と通ずる開口部８８が設けられている。このような開口部８８を設けることで、成形の金型コストを安価にできる。図７中の８９は、開口部８８を塞ぐためのキャップ部材である。
【００６０】
（変形例２）
他の変形例を図８に示す。この変形例では、図８に示すように、各隆起部５０の上部が平坦面に形成され、その適宜位置に支持手段９２を構成する支持金具９３が取り付けられている。支持金具９３は、灌水パイプ７０の外径と略等しい内径を有する断面Ｃ型状をなし、灌水パイプ７０を側方から把持している。なお、中間支持部６０の支持面６２上にも、補助金具９５が取り付けられている。
【００６１】
このように、本発明の支持手段としては、様々な形態のものを用いてよい。変形例に係る支持金具９３によれば、灌水パイプ７０の上方への抜け外れを確実に防止することが可能である。これに対し、支持手段として上記した如くの凹溝５６を採用する場合には、支持手段の製造・取り付けや灌水パイプ７０の嵌脱作業が一層容易となる。
【００６２】
以上の実施形態の記述は、本発明をこれに限定するものではなく、本発明の趣旨を逸脱しない範囲で種々の修正や設計変更等が可能である。
例えば、トレー本体２０の具体形状等は任意に変更してよい。上記実施形態では、連通部３０および嵌合部４０を、各上縁辺２３ａ〜２３ｄにつき１箇所ずつ設ける例を示したが、トレー本体２０の大きさや緑化植物Ｐに必要となる灌水量等に応じて、各上縁辺２３ａ〜２３ｄにつき２箇所以上ずつ設け、各緑化用トレー１０に灌水パイプ７０を２本以上並設することもできる（隆起部５０や支持手段５５の配設数・配置等も、灌水パイプ７０に従って適宜変更してよい）。
【００６３】
隆起部５０や支持手段５５、中間支持部６０についても、上記した形態に限らず、平面視で円形や楕円形、三角形、矩形、台形あるいはこれらを組み合わせたもの等任意に構成可能であるが、トレー本体２０内での隆起部５０、支持手段５５、中間支持部６０の占有体積（合計）が概ね３０〜７０％となるようにするのがよい。占有体積が３０％未満となると、緑化用トレー１０（栽培土壌Ｓ）が重量化するおそれがあり、逆に７０％を超えると、緑化植物Ｐの植え付けスペースが減少し過ぎてしまい、却って好ましくない。
【００６４】
また、トレー本体２０の底壁部２１の平均的深さは、緑化植物Ｐの栽培環境を考慮すると、６０ｍｍ程度以上が好ましく、より好ましくは８０ｍｍ程度以上である。隆起部５０は、上記平均的深さの半分よりも高い位置に、その頂部が位置するような高さとするのが好ましい。隆起部５０の高さが低過ぎると、緑化用トレー１０（栽培土壌Ｓ）が重量化するおそれがあり、占有体積を増したときに栽培土壌Ｓの厚みを確保し難くなる。
【００６５】
その他の実施形態に係る緑化システム１０１および緑化用トレー１１０について、図９〜図１１を参照してさらに説明する。図９は緑化用トレー１１０を示す斜視図である。図１０〜図１１は緑化システム１０１を示しており、図１０は組み立て状況を示す平面図、図１１は拡大断面図である。
【００６６】
緑化システム１０１を構成する緑化用トレー１１０では、図９〜図１０に示すように、係合片１２６および係合溝１２９が、それぞれ隣り合う上縁辺１２３ａ、１２３ｄおよび１２３ｂ、１２３ｃに平面視Ｌ字状に形成され、これに対応して、連通部１３０および嵌合部１４０が、各２箇所ずつ設けられている。
隆起部１５０は、図９〜図１１に示す立体形状をなし、上部には断面円弧状で、支持手段１５５を構成する浅底の円弧溝１５６が凹設されている。底壁部１２１の底上げ部１２１ｉは、図９に示すように、凸部１２１ｉ’によってエンボス状に形成されており、トレー本体１２０内を適当な湿度に保つとともに、栽培土壌Ｓの充填に伴う底壁部１２１の歪みや変形を防止している。
【００６７】
緑化システム１０１は、隣接する緑化用トレー１１０同士を、図１０に示すようにして連結する。すなわち、図１０を参照しながら説明すれば、一の緑化用トレー１１０を略水平にしたまま、その連通部１３０を、隣接する他の緑化用トレー１１０Ａ、１１０Ｂの嵌合部１４０ａ、１４０ｂにそれぞれ上方から嵌合するとともに、係合片１２６を、緑化用トレー１１０Ａ、１１０Ｂの係合溝１２９ａ、１２９ｂにそれぞれ上方から係合する。
この例では上記実施形態と異なり、連結に際して、各緑化用トレー１１０（１１０Ａ、１１０Ｂ）を互いに水平回転等させる必要はなく、全ての緑化用トレー１１０（１１０Ａ、１１０Ｂ）を同じ向きにして敷設すればよい。但し、上記実施形態による連結態様の方が、各緑化用トレー１０をより一層強固に連結できる。
【００６８】
図１１に示すように、緑化用トレー１１０では、隆起部１５０上部の円弧溝１５６によって支持される灌水パイプ１７０が、栽培土壌Ｓの表面Ｓａ近辺に、その上半部を露出して配設されており、適宜位置に穿設された灌水孔１７２を介して、上方から緑化植物Ｐの茎葉に直接、水分Ｗを噴霧状に散水できるようになっている。これにより、緑化植物Ｐ自体の温度や周囲の湿度を適度に調節し得る。このような灌水方法は、特に乾燥し易い場所や緑化植物Ｐの種類等によっては好適となる。
【００６９】
なお、以上の説明では、緑化システム１（１０１）を建物屋上４の屋根面５に設置する例を挙げているが、本発明の緑化システムは、これに限らずベランダ、バルコニー、人工地盤等の様々な場所に設置してよい。適宜の取付金物を併用して、折板屋根等の金属屋根に設置することもできる。また、本発明の緑化システムは、新築のみならず既存建物の改修等においても好適に用いることができる。
【産業上の利用可能性】
【００７０】
本発明は、建物屋上の屋根面等を緑化する際に幅広く利用することができる。
【符号の説明】
【００７１】
１  緑化システム
１０  緑化用トレー
２０  トレー本体
２１  底壁部
２２  側壁部
２３ａ〜２３ｄ  上縁辺
２６  係合片
２９  係合溝
３０  連通部
４０  嵌合部
５０  隆起部
５４  空洞部
５５  支持手段
５６  凹溝
５９  抜け止め突起
６０  中間支持部
７０  灌水パイプ
Ｐ  緑化植物
Ｓ  栽培土壌
Ｓａ  表面
【図１】
2011050329.tif 000003
【図２】
2011050329.tif 000004
【図３】
2011050329.tif 000005
【図４】
2011050329.tif 000006
【図５】
2011050329.tif 000007
【図６】
2011050329.tif 000008
【図７】
2011050329.tif 000009
【図８】
2011050329.tif 000010
【図９】
2011050329.tif 000011
【図１０】
2011050329.tif 000012
【図１１】
2011050329.tif 000013
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
緑化植物および栽培土壌をそれぞれ収容し、縦横に隣接して敷設される複数の緑化用トレーと、緑化用トレー上に配設される灌水パイプと、を含んで構成される緑化システムであって、
各緑化用トレーが、
底壁部と、該底壁部の周囲に立設状に形成される側壁部と、を有する平面視略正方形をなす上部開放のトレー本体と、
該側壁部の対向する上縁辺に設けられ、該灌水パイプを連通する樋状をなすとともに、該トレー本体よりも側方に突出して形成される連通部と、
該側壁部の他の対向する上縁辺に設けられ、隣接する他の緑化用トレーの該連通部を上方から嵌合できる嵌合部と、
該連通部が設けられる該側壁部の上縁辺にて、下方に折り曲げ形成される係合片と、
該嵌合部が設けられる該側壁部の上縁辺にて、隣接する他の緑化用トレーの該係合片を上方から係合できる係合溝と、
該底壁部に凸状に設けられる隆起部と、
該隆起部の上部に設けられ、該灌水パイプを支持する支持手段と、
該灌水パイプの該トレー本体内における垂れ下がりを防止する中間支持部と、を備え、
縦横に隣接する各緑化用トレーが、該連通部と該嵌合部との嵌合および該係合片と該係合溝との係合により、互いに直角に水平回転された状態で連結され、
該灌水パイプが、該連通部と該支持手段を通り、該栽培土壌の表面近辺にて、各緑化用トレー間を縦断ないし横断して配設されるとともに、
該中間支持部に灌水パイプ用の継ぎ手を支持させることで、該灌水パイプを該トレー本体内で分岐ないし屈折できるようになされた緑化システム。
【請求項２】
該支持手段が、
該隆起部から連続して該隆起部と一体成形され、該灌水パイプを嵌脱可能な凹溝からなるとともに、
該中間支持部が、
該トレー本体の略中心に設けられ、
該中間支持部と、該連通部、該嵌合部、該凹溝とが、平面視十字状に配設されている請求項１に記載の緑化システム。
【請求項３】
該凹溝に、
該灌水パイプの抜け止め突起が形成されている請求項２に記載の緑化システム。
【請求項４】
該隆起部および該凹溝と該中間支持部との裏側が、
空洞に形成されている請求項３に記載の緑化システム。
【請求項５】
該灌水パイプが、
少量灌水可能な構造を有するとともに、該栽培土壌中に埋設されている請求項１乃至４の何れかに記載の緑化システム。
【請求項６】
緑化植物および栽培土壌をそれぞれ収容し、縦横に隣接して敷設される複数の緑化用トレーと、緑化用トレー上に配設される灌水パイプと、を含んで構成される緑化システムに用いられる緑化用トレーであって、
底壁部と、該底壁部の周囲に立設状に形成される側壁部と、を有する平面視略正方形をなす上部開放のトレー本体と、
該側壁部の対向する上縁辺に設けられ、該灌水パイプを連通する樋状をなすとともに、該トレー本体よりも側方に突出して形成される連通部と、
該側壁部の他の対向する上縁辺に設けられ、隣接する他の緑化用トレーの該連通部を上方から嵌合できる嵌合部と、
該連通部が設けられる該側壁部の上縁辺にて、下方に折り曲げ形成される係合片と、
該嵌合部が設けられる該側壁部の上縁辺にて、隣接する他の緑化用トレーの該係合片を上方から係合できる係合溝と、
該底壁部に凸状に設けられる隆起部と、
該隆起部の上部に設けられ、該灌水パイプを支持する支持手段と、
該灌水パイプの該トレー本体内における垂れ下がりを防止する中間支持部と、を備え、
縦横に隣接する各緑化用トレーが、該連通部と該嵌合部との嵌合および該係合片と該係合溝との係合により、互いに直角に水平回転された状態で連結され、
該灌水パイプが、該連通部と該支持手段を通り、該栽培土壌の表面近辺にて、各緑化用トレー間を縦断ないし横断して配設されるとともに、
該中間支持部に灌水パイプ用の継ぎ手を支持させることで、該灌水パイプを該トレー本体内で分岐ないし屈折できるようになされた緑化用トレー。
【手続補正２】
【補正対象書類名】明細書
【補正対象項目名】０００８
【補正方法】変更
【補正の内容】
【０００８】
本発明の緑化システムは、緑化植物および栽培土壌をそれぞれ収容し、縦横に隣接して敷設される複数の緑化用トレーと、緑化用トレー上に配設される灌水パイプと、を含んで構成される緑化システムであって、各緑化用トレーが、底壁部と、該底壁部の周囲に立設状に形成される側壁部と、を有する平面視略正方形をなす上部開放のトレー本体と、該側壁部の対向する上縁辺に設けられ、該灌水パイプを連通する樋状をなすとともに、該トレー本体よりも側方に突出して形成される連通部と、該側壁部の他の対向する上縁辺に設けられ、隣接する他の緑化用トレーの該連通部を上方から嵌合できる嵌合部と、該連通部が設けられる該側壁部の上縁辺にて、下方に折り曲げ形成される係合片と、該嵌合部が設けられる該側壁部の上縁辺にて、隣接する他の緑化用トレーの該係合片を上方から係合できる係合溝と、該底壁部に凸状に設けられる隆起部と、該隆起部の上部に設けられ、該灌水パイプを支持する支持手段と、該灌水パイプの該トレー本体内における垂れ下がりを防止する中間支持部と、を備え、縦横に隣接する各緑化用トレーが、該連通部と該嵌合部との嵌合および該係合片と該係合溝との係合により、互いに直角に水平回転された状態で連結され、該灌水パイプが、該連通部と該支持手段を通り、該栽培土壌の表面近辺にて、各緑化用トレー間を縦断ないし横断して配設されるとともに、該中間支持部に灌水パイプ用の継ぎ手を支持させることで、該灌水パイプを該トレー本体内で分岐ないし屈折できるように構成されている。
【手続補正３】
【補正対象書類名】明細書
【補正対象項目名】０００９
【補正方法】変更
【補正の内容】
【０００９】
上記緑化システムの好ましい例では、該支持手段が、該隆起部から連続して該隆起部と一体成形され、該灌水パイプを嵌脱可能な凹溝からなるとともに、該中間支持部が、該トレー本体の略中心に設けられ、該中間支持部と、該連通部、該嵌合部、該凹溝とが、平面視十字状に配設されている。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１７
【補正方法】変更
【補正の内容】
【００１７】
また、本発明の緑化用トレーは、緑化植物および栽培土壌をそれぞれ収容し、縦横に隣接して敷設される複数の緑化用トレーと、緑化用トレー上に配設される灌水パイプと、を含んで構成される緑化システムに用いられる緑化用トレーであって、底壁部と、該底壁部の周囲に立設状に形成される側壁部と、を有する平面視略正方形をなす上部開放のトレー本体と、該側壁部の対向する上縁辺に設けられ、該灌水パイプを連通する樋状をなすとともに、該トレー本体よりも側方に突出して形成される連通部と、該側壁部の他の対向する上縁辺に設けられ、隣接する他の緑化用トレーの該連通部を上方から嵌合できる嵌合部と、該連通部が設けられる該側壁部の上縁辺にて、下方に折り曲げ形成される係合片と、該嵌合部が設けられる該側壁部の上縁辺にて、隣接する他の緑化用トレーの該係合片を上方から係合できる係合溝と、該底壁部に凸状に設けられる隆起部と、該隆起部の上部に設けられ、該灌水パイプを支持する支持手段と、該灌水パイプの該トレー本体内における垂れ下がりを防止する中間支持部と、を備え、縦横に隣接する各緑化用トレーが、該連通部と該嵌合部との嵌合および該係合片と該係合溝との係合により、互いに直角に水平回転された状態で連結され、該灌水パイプが、該連通部と該支持手段を通り、該栽培土壌の表面近辺にて、各緑化用トレー間を縦断ないし横断して配設されるとともに、該中間支持部に灌水パイプ用の継ぎ手を支持させることで、該灌水パイプを該トレー本体内で分岐ないし屈折できるように構成されている。